(57)【要約】  本発明はダウンリンクチャネル状態情報参照信号の送信方法と装置、及び受信方法と装置を公開した。本発明に係る送信方法は、ネットワーク側が制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定することと、確定された前記他のＯＦＤＭシンボルにおいてダウンリンクチャネル状態情報参照信号ＣＳＩ−ＲＳを送信することとを含む。本発明は放射側がダウンリンクチャネル状態情報参照信号を送信する技術案、及びＵＥがダウンリンクチャネル状態情報参照信号を受信する技術案を提供し、本発明により、放射側はダウンリンクチャネル状態情報参照信号ＣＳＩ−ＲＳを送信・受信できる。【選択図】図３
2013533670.tif 000002
【特許請求の範囲】
【請求項１】
ネットワーク側は制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定することと、
確定された前記他のＯＦＤＭシンボルにおいてダウンリンクチャネル状態情報参照信号ＣＳＩ−ＲＳを送信することと
を含むことを特徴とするダウンリンクチャネル状態情報参照信号の送信方法。
【請求項２】
確定された前記他のＯＦＤＭシンボルにおいてＣＳＩ−ＲＳを送信することは、
確定された前記他のＯＦＤＭシンボルにおいて、ユーザー専用参照信号ＤＲＳの送信で使用されたリソースエレメントＲＥ以外の他のＲＥを使用してＣＳＩ−ＲＳを送信し、そのうち、１ＯＦＤＭシンボル内の１サブキャリアは１ＲＥである
ことを含むことを特徴とする請求項１記載のダウンリンクチャネル状態情報参照信号の送信方法。
【請求項３】
確定された前記他のＯＦＤＭシンボルにおいてＣＳＩ−ＲＳを送信することは、
ネットワーク側が予め分割されたＣＳＩ−ＲＳポートグループにより、確定された前記他のＯＦＤＭシンボルにおいてＣＳＩ−ＲＳを送信し、 
そのうち、２個のＣＳＩ−ＲＳの送信ポートを１つのＣＳＩ−ＲＳポートグループに分割し、異なるＣＳＩ−ＲＳポートグループは異なるサブキャリアを使用してＣＳＩ−ＲＳ信号を送信し、又、時間領域に符号分割多重ＣＤＭを行うことにより、同一ＣＳＩ−ＲＳポートグループ内の異なるＣＳＩ−ＲＳポートから同じサブキャリアにおいて送信されるＣＳＩ−ＲＳ信号を区別し、
又は、異なるＣＳＩ−ＲＳポートグループは異なるＯＦＤＭシンボルにおいてＣＳＩ−ＲＳ信号を送信し、周波数領域にＣＤＭを行うことにより、同一ＣＳＩ−ＲＳポートグループ内の異なるＣＳＩ−ＲＳポートから同じＯＦＤＭシンボルにおいて送信されるＣＳＩ−ＲＳ信号を区別する、ことを含むことを特徴とする請求項１記載のダウンリンクチャネル状態情報参照信号の送信方法。 
【請求項４】
前記異なるＣＳＩ−ＲＳポートグループが異なるＯＦＤＭシンボルにおいてＣＳＩ−ＲＳ信号を送信することは、
任意のＣＳＩ−ＲＳポートグループは任意の周波数領域の隣接する２個の物理リソースブロックＰＲＢ内の異なるＯＦＤＭシンボルにおいてＣＳＩ−ＲＳ信号を送信する、
ことを含むことを特徴とする請求項３記載のダウンリンクチャネル状態情報参照信号の送信方法。
【請求項５】
確定された前記他のＯＦＤＭシンボルにおいてＣＳＩ−ＲＳを送信することは、
前記他のＯＦＤＭシンボル内の同じＯＦＤＭシンボルにおいて複数の隣接セルを予約して直交サブキャリアを使用してＣＳＩ−ＲＳ信号を送信し、又は複数の隣接セルを予約して前記他のＯＦＤＭシンボル内の異なるＯＦＤＭシンボルを使用してＣＳＩ−ＲＳ信号を送信し、又は複数の隣接セルを予約して前記他のＯＦＤＭシンボル内の異なるＯＦＤＭシンボルと直交サブキャリアを混合して使用してＣＳＩ−ＲＳ信号を送信する、
ことを含むことを特徴とする請求項１記載のダウンリンクチャネル状態情報参照信号の送信方法。
【請求項６】
一般サイクリックプレフィックスＣＰを使用するＰＲＢ毎は、時間領域上の０から１３まで番号の付いている１４ＯＦＤＭシンボルと周波数領域上の１２サブキャリアを含み、その場合、確定された前記他のＯＦＤＭシンボルにおいてＣＳＩ−ＲＳを送信することは、
ＰＲＢ毎の第１０のＯＦＤＭシンボル内の任意のサブキャリア、又は第３と第９のＯＦＤＭシンボル内のＤＲＳ信号に使用されていないサブキャリア、又は第８のＯＦＤＭシンボル内のＣＲＳ信号を送信しない際の任意のサブキャリアを使用してＣＳＩ−ＲＳ信号を送信する、
ことを特徴とする請求項１―５記載のダウンリンクチャネル状態情報参照信号の送信方法。
【請求項７】
ネットワーク側で２個のＣＳＩ−ＲＳポートでＣＳＩ−ＲＳ信号を送信する場合、前記一般ＣＰを使用するＰＲＢ内の確定された前記他のＯＦＤＭシンボルにおいてＣＳＩ−ＲＳを送信することは、
ネットワーク側はＰＲＢ毎の第８と第１０のＯＦＤＭシンボル内の同じサブキャリア、又は第８のシンボル内の隣接する２サブキャリア、又は第１０のシンボル内の隣接する２サブキャリア、又は第９と第１０のＯＦＤＭシンボル内のＤＲＳ信号に使用されたサブキャリア以外の同じサブキャリア、又は第８と第９のＯＦＤＭシンボル内のＤＲＳ信号に使用されたサブキャリア以外の同じサブキャリアにおいて、時間領域ＣＤＭ又は周波数領域ＣＤＭの方式で各ＣＳＩ−ＲＳポートグループのＣＳＩ−ＲＳ信号を送信する、
ことを含むことを特徴とする請求項６記載のダウンリンクチャネル状態情報参照信号の送信方法。
【請求項８】
ネットワーク側で４個のＣＳＩ−ＲＳポートを使用してＣＳＩ−ＲＳ信号を送信する場合、前記一般ＣＰを使用するＰＲＢ内で、確定された前記他のＯＦＤＭシンボルにおいてＣＳＩ−ＲＳを送信することは、
ネットワーク側は分割されたＣＳＩ−ＲＳポートグループによりＣＳＩ−ＲＳ信号を送信し、各ＣＳＩ−ＲＳポートグループはＰＲＢ毎の第８と第１０のＯＦＤＭシンボル内の同じサブキャリアを使用して時間領域ＣＤＭの方式でＣＳＩ−ＲＳ信号を送信し、且つ２個のＣＳＩ−ＲＳポートグループは、それぞれ異なるサブキャリアを使用し、
又は、各ＣＳＩ−ＲＳポートグループは、それぞれＰＲＢ毎の第８のＯＦＤＭシンボル内の隣接する２サブキャリア、又は第１０のＯＦＤＭシンボル内の隣接する２サブキャリアを使用してＣＳＩ−ＲＳ信号を送信し、且つ２個のＣＳＩ−ＲＳポートグループは同じ又は同じでないサブキャリアを使用し、
又は、各ＣＳＩ−ＲＳポートグループは隣接する２サブキャリアを使用してＣＳＩ−ＲＳ信号を送信し、且つ２個のＣＳＩ−ＲＳポートグループは全てＰＲＢ毎の第８又は第１０のＯＦＤＭシンボルにおいてＣＳＩ−ＲＳ信号を送信し、且つ２個のＣＳＩ−ＲＳポートグループは隣接又は若干のキャリア間隔を有するサブキャリアを使用し、
又は、各ＣＳＩ−ＲＳポートグループはＰＲＢ毎の第９と第１０のＯＦＤＭシンボル内のＤＲＳ信号に使用されたサブキャリア以外の同じサブキャリアを使用して時間領域ＣＤＭの方式でＣＳＩ−ＲＳ信号を送信し、且つ２個のＣＳＩ−ＲＳポートグループは、それぞれ異なるサブキャリアを使用し、
又は、各ＣＳＩ−ＲＳポートグループはＰＲＢ毎の第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ２個のＣＳＩ−ＲＳポートグループは、それぞれ異なるサブキャリアを使用する、
ことを含むことを特徴とする請求項６記載のダウンリンクチャネル状態情報参照信号の送信方法。
【請求項９】
ネットワーク側で８個のＣＳＩ−ＲＳポートでＣＳＩ−ＲＳ信号を送信する場合、前記一般ＣＰを使用するＰＲＢ内で、確定された前記他のＯＦＤＭシンボルにおいてＣＳＩ−ＲＳを送信することは、
ネットワーク側は分割されたＣＳＩ−ＲＳポートグループによりＣＳＩ−ＲＳ信号を送信し、各ＣＳＩ−ＲＳポートグループはＰＲＢ毎の第８と第１０のＯＦＤＭシンボル内の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、
又は、各ＣＳＩ−ＲＳポートグループは、それぞれＰＲＢ毎の第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のサブキャリア間隔を有するサブキャリアを使用し、
又は、各ＣＳＩ−ＲＳポートグループは隣接する２サブキャリアを使用してＣＳＩ−ＲＳ信号を送信し、且つ４個のＣＳＩ−ＲＳポートグループは全てＰＲＢ毎の第８又は第１０のＯＦＤＭシンボルにおいてＣＳＩ−ＲＳ信号を送信し、且つ４個のＣＳＩ−ＲＳポートグループは隣接又は一定の間隔を有するサブキャリアを使用し、
又は、各ＣＳＩ−ＲＳポートグループはＰＲＢ毎の第９と第１０のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、
又は、各ＣＳＩ−ＲＳポートグループはＰＲＢ毎の第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用する、
ことを含むことを特徴とする請求項６記載のダウンリンクチャネル状態情報参照信号の送信方法。
【請求項１０】
リソース確定モジュールと送信モジュールを含むダウンリンクチャネル状態情報参照信号の送信装置において、
前記リソース確定モジュールは、制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、
前記送信モジュールは、確定された前記他のＯＦＤＭシンボルにおいてダウンリンクチャネル状態情報参照信号ＣＳＩ−ＲＳを送信する
ことを特徴とするダウンリンクチャネル状態情報参照信号の送信装置。
【請求項１１】
前記送信モジュールは確定された前記他のＯＦＤＭシンボルにおいて、ユーザー専用参照信号ＤＲＳの送信で使用されたリソースエレメントＲＥ以外の他のＲＥを使用してＣＳＩ−ＲＳを送信し、そのうち、１ＯＦＤＭシンボル内の１サブキャリアは１ＲＥである、ことを特徴とする請求項１０記載のダウンリンクチャネル状態情報参照信号の送信装置。
【請求項１２】
前記送信モジュールは、予め２個のＣＳＩ−ＲＳ信号の送信ポートを１つのＣＳＩ−ＲＳポートグループに分割し、分割されたＣＳＩ−ＲＳポートグループにより、確定された前記他のＯＦＤＭシンボルにおいてＣＳＩ−ＲＳを送信し、そのうち、異なるＣＳＩ−ＲＳポートグループは異なるサブキャリアを使用してＣＳＩ−ＲＳ信号を送信し、又、時間領域に符号分割多重ＣＤＭを行うことにより同一ＣＳＩ−ＲＳポートグループ内の異なるＣＳＩ−ＲＳポートから同じサブキャリアにおいて送信されるＣＳＩ−ＲＳ信号を区別し、又は、異なるＣＳＩ−ＲＳポートグループは異なるＯＦＤＭシンボルにおいてＣＳＩ−ＲＳ信号を送信し、周波数領域にＣＤＭを行うことにより、同一ＣＳＩ−ＲＳポートグループ内の異なるＣＳＩ−ＲＳポートから同じＯＦＤＭシンボルにおいて送信されるＣＳＩ−ＲＳ信号を区別する、
ことを特徴とする請求項１０記載のダウンリンクチャネル状態情報参照信号の送信装置。
【請求項１３】
前記送信モジュールは、任意のＣＳＩ−ＲＳポートグループに対して、任意の周波数領域が隣接する２物理リソースブロックＰＲＢ内の異なるＯＦＤＭシンボルにおいてＣＳＩ−ＲＳ信号を送信する、ことを特徴とする請求項１２記載のダウンリンクチャネル状態情報参照信号の送信装置。
【請求項１４】
ネットワーク側は８個のダウンリンクチャネル状態情報参照信号ＣＳＩ−ＲＳポートでＣＳＩ−ＲＳ信号を送信する場合、予め２個のＣＳＩ−ＲＳポートを１つのＣＳＩ−ＲＳポートグループに分割することと、
ネットワーク側は制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定することと、
前記一般サイクリックプレフィックスＣＰを使用する物理リソースブロックＰＲＢ内で、各ＣＳＩ−ＲＳポートグループは確定された前記他のＯＦＤＭシンボルにおいて次の方式でＣＳＩ−ＲＳ信号を送信し、
各ＣＳＩ−ＲＳポートグループはＰＲＢ毎の第８と第１０のＯＦＤＭシンボル内の同じサブキャリアを使用して時間領域符号分割多重ＣＤＭの方式でＣＳＩ−ＲＳ信号を送信し、且つ４個のＣＳＩ−ＲＳポートグループは、それぞれ異なるサブキャリアを使用し、
又は、各ＣＳＩ−ＲＳポートグループは、それぞれＰＲＢ毎の第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のサブキャリア間隔を有するサブキャリアを使用し、
又は、各ＣＳＩ−ＲＳポートグループは隣接する２サブキャリアを使用してＣＳＩ−ＲＳ信号を送信し、且つ４個のＣＳＩ−ＲＳポートグループは全てＰＲＢ毎の第８又は第１０のＯＦＤＭシンボルにおいてＣＳＩ−ＲＳ信号を送信し、且つ４個ＣＳＩ−ＲＳポートグループは隣接又は若干のサブキャリア間隔を有するサブキャリアを使用し、
又は、各ＣＳＩ−ＲＳポートグループはＰＲＢ毎の第９と第１０のＯＦＤＭシンボル内のユーザー専用参照信号ＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、
又は、各ＣＳＩ−ＲＳポートグループはＰＲＢ毎の第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用することと、  
を含むことを特徴とするダウンリンクチャネル状態情報参照信号の送信方法。
【請求項１５】
リソース確定モジュールと送信モジュールを含むダウンリンクチャネル状態情報参照信号の送信装置において、
前記リソース確定モジュールは、制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、
前記送信モジュールは８個のダウンリンクチャネル状態情報参照信号ＣＳＩ−ＲＳポートでＣＳＩ−ＲＳ信号を送信する場合、予め２個のＣＳＩ−ＲＳ信号の送信ポートを１つのＣＳＩ−ＲＳポートグループに分割し、前記一般サイクリックプレフィックスＣＰを使用する物理リソースブロックＰＲＢ内で、各ＣＳＩ−ＲＳポートグループにより、確定された前記他のＯＦＤＭシンボルにおいてＣＳＩ−ＲＳ信号を送信し、そのうち、各ＣＳＩ−ＲＳポートグループはＰＲＢ毎の第８と第１０のＯＦＤＭシンボル内の同じサブキャリアを使用して時間領域符号分割多重ＣＤＭの方式でＣＳＩ−ＲＳ信号を送信し、且つ４個のＣＳＩ−ＲＳポートグループは、それぞれ異なるサブキャリアを使用し、又は、各ＣＳＩ−ＲＳポートグループは、それぞれＰＲＢ毎の第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のサブキャリア間隔を有するサブキャリアを使用し、又は、各ＣＳＩ−ＲＳポートグループは隣接する２サブキャリアを使用してＣＳＩ−ＲＳ信号を送信し、且つ４個のＣＳＩ−ＲＳポートグループは全てＰＲＢ毎の第８又は第１０のＯＦＤＭシンボルにおいてＣＳＩ−ＲＳ信号を送信し、且つ４個のＣＳＩ−ＲＳポートグループは隣接又は一定の間隔を有するサブキャリアを使用し、又は、各ＣＳＩ−ＲＳポートグループはＰＲＢ毎の第９と第１０のＯＦＤＭシンボル内のユーザー専用参照信号ＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、又は、各ＣＳＩ−ＲＳポートグループはＰＲＢ毎の第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用する、
ことを特徴とするダウンリンクチャネル状態情報参照信号の送信装置。
【請求項１６】
ユーザー設備ＵＥはネットワーク側からの制御信号、セル固有参照信号ＣＲＳ、及び復調パイロット信号ＤＭ−ＲＳの送信で使用されたＯＦＤＭシンボル以外の他のＯＦＤＭシンボルを確定することと、
確定された前記他のＯＦＤＭシンボルにおいてダウンリンクチャネル状態情報参照信号ＣＳＩ−ＲＳを受信することと、
を含むことを特徴とするダウンリンクチャネル状態情報参照信号の受信方法。
【請求項１７】
確定された前記他のＯＦＤＭシンボルにおいてＣＳＩ−ＲＳを受信することは
確定された前記他のＯＦＤＭシンボル内で、ユーザー専用参照信号ＤＲＳ信号に使用されたリソースエレメントＲＥ以外の他のＲＥにおいてネットワーク側から送信されたＣＳＩ−ＲＳを受信し、そのうち、１ＯＦＤＭシンボル内の１サブキャリアは１ＲＥである、
ことをを含むことを特徴とする請求項１６記載のダウンリンクチャネル状態情報参照信号の受信方法。
【請求項１８】
確定された前記他のＯＦＤＭシンボルにおいてＣＳＩ−ＲＳを受信することは
ＵＥはネットワーク側により分割されたＣＳＩ−ＲＳポートグループから送信されたＣＳＩ−ＲＳを受信し、 
そのうち、ＵＥは異なるサブキャリアにおいて異なるＣＳＩ−ＲＳポートグループから送信されたＣＳＩ−ＲＳ信号を受信し、又、時間領域に符号分割多重ＣＤＭを行うことにより、同じＣＳＩ−ＲＳポートグループ内の異なるＣＳＩ−ＲＳポートから同じサブキャリアにおいて送信されたＣＳＩ−ＲＳ信号を区別し、
又は、ＵＥは異なるＯＦＤＭシンボルにおいて異なるＣＳＩ−ＲＳポートグループから送信されたＣＳＩ−ＲＳ信号を受信し、周波数領域にＣＤＭを行うことにより、同一ＣＳＩ−ＲＳポートグループ内の異なるＣＳＩ−ＲＳポートから同じＯＦＤＭシンボルにおいて送信されたＣＳＩ−ＲＳ信号を区別する、
ことを含むことを特徴とする請求項１６記載のダウンリンクチャネル状態情報参照信号の受信方法。
【請求項１９】
任意のＣＳＩ−ＲＳポートグループに対して、ＵＥは任意の周波数領域の隣接する２物理リソースブロックＰＲＢ内の異なるＯＦＤＭシンボルにおいて当該ＣＳＩ−ＲＳポートグループからのＣＳＩ−ＲＳ信号を受信する、ことを特徴とする請求項１８記載のダウンリンクチャネル状態情報参照信号の受信方法。
【請求項２０】
リソース確定モジュールと受信モジュールを含むダウンリンクチャネル状態情報参照信号の受信装置において、
前記リソース確定モジュールはネットワーク側からの制御信号、セル固有参照信号ＣＲＳ、及び復調パイロット信号の送信で使用されたＯＦＤＭシンボル以外の他のＯＦＤＭシンボルを確定し、
前記受信モジュールは確定された前記他のＯＦＤＭシンボルにおいてダウンリンクチャネル状態情報参照信号ＣＳＩ−ＲＳを受信する、
ことを特徴とするダウンリンクチャネル状態情報参照信号の受信装置。 
【発明の詳細な説明】
【技術分野】
【０００１】
本出願は２０１０年５月３０日に中国特許局に提出した、出願番号が２０１０１０１９５４２１．６で、発明の名称が「ダウンリンクチャネル状態情報参照信号の送信方法と装置、及び受信方法と装置」である中国特許出願願書の優先権を要求し、上記全ての内容は参照することにより本申請に組み込まれている。
【０００２】
本発明は移動通信技術領域に関し、特にダウンリンクチャネル状態情報参照信号の送信方法と装置、及び受信方法と装置に関する。
【背景技術】
【０００３】
参照信号（Ｒｅｆｅｒｅｎｃｅ  Ｓｉｇｎａｌ, ＲＳ）は放射側から受信側に送信される既知の信号であり、受信側のチャネル推定又はチャネル測定に使用される。現在、第三世代パートナープロジェクト（３ＧＰＰ，Ｔｈｅ  ３ｒｄ  Ｇｅｎｅｒａｔｉｏｎ  Ｐａｒｔｎｅｒｓｈｉｐ  Ｐｒｏｊｅｃｔ）で定義されているＲＳが４種あり、即ち、リリース８（Ｒ８，Ｒｅｌｅａｓｅ  ８）システムにおけるセル固有参照信号（ＣＲＳ，Ｃｅｌｌ  ｓｐｅｃｉｆｉｃ  ｒｅｆｅｒｅｎｃｅ  ｓｉｇｎａｌｓ)、Ｒ８のユーザー専用参照信号（ＤＲＳ，Ｄｅｄｉｃａｔｅｄ ｒｅｆｅｒｅｎｃｅ  ｓｉｇｎａｌｓ) 、リリース１０（Ｒ１０，Ｒｅｌｅａｓｅ  １０）システムにおける復調パイロット信号（ＤＭ−ＲＳ，Ｄｅｍｏｄｕｌａｔｉｏｎ  ＲＳ) 、及びＲ１０のダウンリンクチャネル状態情報参照信号（ＣＳＩ−ＲＳ，Ｃｈａｎｎｅｌ  Ｓｔａｔｅ  Ｉｎｆｏｒｍａｔｉｏｎ  ＲＳ）である。  
【０００４】
直交周波数分割多重（ＯＦＤＭ，Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ) システムにおいて、１つの物理リソースブロック（Ｐｈｙｓｉｃａｌ  Ｒｅｓｏｕｒｃｅ  Ｂｌｏｃｋ，ＰＲＢ）は時間領域上の１４又は１２のＯＦＤＭシンボル（ｓｙｍｂｏｌｓ）と周波数領域上の１２サブキャリア（ｓｕｂｃａｒｒｉｅｓ)を占用する。ＰＲＢにおいて、ＲＳ信号はリソース要素（Ｒｅｓｏｕｒｃｅ  Ｅｌｅｍｅｎｔ，ＲＥ）を単位とし、１ＲＳ信号はＰＲＢ内の数個のＲＥを使用する。
【０００５】
現在、Ｒ８のＣＲＳ、Ｒ８のＤＲＳ、及びＲ１０のＤＭ−ＲＳの送信方法について既に規定されており、即ち、その３種のＲＳの送信で使用されるＲＥは既に規定されている。詳細は図１と図２を参照する。
【０００６】
図１は従来技術において一般サイクリックプレフィックス（ＣＰ，Ｃｙｃｌｉｃ  Ｐｒｅｆｉｘ）を使用する物理リソースブロックでＲＳ信号を送信するイメージを示す図である。
【０００７】
図２は従来技術において拡張ＣＰを使用する物理リソースブロックでＲＳ信号を送信するイメージを示す図である。
【０００８】
現在、２個、４個、及び８個のＣＳＩ−ＲＳポートでＣＳＩ−ＲＳ信号を送信するＲＥコストに関しても既に一致を達したが、ＰＲＢ毎において各ＣＳＩ−ＲＳポートは１ＲＥのみを使用してＣＳＩ−ＲＳを送信する。
【０００９】
しかし、放射側が具体的にどのようにダウンリンクチャネル状態情報参照信号ＣＳＩ−ＲＳを送信するか、又、ユーザー設備（ＵＥ，ｕｓｅｒ  ｅｑｕｉｐｍｅｎｔ）がどのようにＣＳＩ−ＲＳ信号を受信するかに関して、従来技術には詳細な技術案が提供されていなかった。
【発明の概要】
【発明が解決しようとする課題】
【００１０】
上記問題点に対して、本発明の実施形態はダウンリンクチャネル状態情報参照信号の送信方法と装置、及び受信方法と装置を提供し、これにより、放射側がダウンリンクチャネル状態情報参照信号ＣＳＩ−ＲＳを送信する技術案、及びＵＥ側がＣＳＩ−ＲＳを受信する技術案を提供する。
【００１１】
以下は本発明の実施形態における技術案を詳述する。
【００１２】
ダウンリンクチャネル状態情報参照信号の送信方法において  
ネットワーク側は制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定することと、
確定された前記他のＯＦＤＭシンボルにおいてダウンリンクチャネル状態情報参照信号ＣＳＩ−ＲＳを送信することと
を含む。
【００１３】
リソース確定モジュールと送信モジュールを含むダウンリンクチャネル状態情報参照信号の送信装置において、
前記リソース確定モジュールは、制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、
前記送信モジュールは、確定された前記他のＯＦＤＭシンボルにおいてダウンリンクチャネル状態情報参照信号ＣＳＩ−ＲＳを送信する。  
【００１４】
ダウンリンクチャネル状態情報参照信号の送信方法において、
ネットワーク側が８個のダウンリンクチャネル状態情報参照信号ＣＳＩ−ＲＳポートでＣＳＩ−ＲＳ信号を送信する場合、予め２個のＣＳＩ−ＲＳポートを１つのＣＳＩ−ＲＳポートグループに分割することと、
ネットワーク側が制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定することと、
前記一般サイクリックプレフィックスＣＰを使用する物理リソースブロックＰＲＢ内で、各ＣＳＩ−ＲＳポートグループは確定された前記他のＯＦＤＭシンボルにおいて、次の方式でＣＳＩ−ＲＳ信号を送信し、
各ＣＳＩ−ＲＳポートグループは第８と第１０のＯＦＤＭシンボル内の同じサブキャリアを使用して時間領域符号分割多重ＣＤＭの方式でＣＳＩ−ＲＳ信号を送信し、且つ４個のＣＳＩ−ＲＳポートグループは、それぞれ異なるサブキャリアを使用し、  
又は、各ＣＳＩ−ＲＳポートグループは、それぞれ第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のサブキャリア間隔を有するサブキャリアを使用し、  
又は、各ＣＳＩ−ＲＳポートグループは隣接する２サブキャリアを使用してＣＳＩ−ＲＳ信号を送信し、且つ４個のＣＳＩ−ＲＳポートグループは全て第８又は第１０のＯＦＤＭシンボルにおいてＣＳＩ−ＲＳ信号を送信し、且つ４個のＣＳＩ−ＲＳポートグループは隣接又は若干のサブキャリア間隔を有する２サブキャリアを使用し、
又は、各ＣＳＩ−ＲＳポートグループは第９と第１０のＯＦＤＭシンボル内のリリース８のユーザー専用参照信号ＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、
又は、各ＣＳＩ−ＲＳポートグループは第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用する、ことと
を含む。
【００１５】
リソース確定モジュールと送信モジュールを含むダウンリンクチャネル状態情報参照信号の送信装置において、
前記リソース確定モジュールは、制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、
前記送信モジュールは、８個のダウンリンクチャネル状態情報参照信号ＣＳＩ−ＲＳポートでＣＳＩ−ＲＳ信号を送信する場合、予め２個のＣＳＩ−ＲＳポートを１つのＣＳＩ−ＲＳポートグループに分割し、前記一般サイクリックプレフィックスＣＰを使用する物理リソースブロックＰＲＢ内で、各ＣＳＩ−ＲＳポートグループにより、確定された前記他のＯＦＤＭシンボルにおいてＣＳＩ−ＲＳ信号を送信し、そのうち、各ＣＳＩ−ＲＳポートグループはＰＲＢ毎の第８と第１０のＯＦＤＭシンボル内の同じサブキャリアを使用して時間領域符号分割多重ＣＤＭの方式でＣＳＩ−ＲＳ信号を送信し、且つ４個のＣＳＩ−ＲＳポートグループは、それぞれ異なるサブキャリアを使用し、又は、各ＣＳＩ−ＲＳポートグループは、それぞれＰＲＢ毎の第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のサブキャリア間隔を有するサブキャリアを使用し、又は、各ＣＳＩ−ＲＳポートグループは隣接する２サブキャリアを使用してＣＳＩ−ＲＳ信号を送信し、且つ４個のＣＳＩ−ＲＳポートグループは全てＰＲＢ毎の第８又は第１０のＯＦＤＭシンボルにおいてＣＳＩ−ＲＳ信号を送信し、且つ４個のＣＳＩ−ＲＳポートグループは隣接又は一定のサブキャリア間隔を有するサブキャリアを使用し、又は、各ＣＳＩ−ＲＳポートグループはＰＲＢ毎の第９と第１０のＯＦＤＭシンボル内のユーザー専用参照信号ＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、又は、各ＣＳＩ−ＲＳポートグループはＰＲＢ毎の第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用する。
【００１６】
ダウンリンクチャネル状態情報参照信号の受信方法において、
ユーザー設備ＵＥはネットワーク側からの制御信号、セル固有参照信号ＣＲＳ、及び復調パイロット信号ＤＭ−ＲＳの送信で使用されたＯＦＤＭシンボル以外の他のＯＦＤＭシンボルを確定することと、
又、確定された前記他のＯＦＤＭシンボルにおいてダウンリンクチャネル状態情報参照信号ＣＳＩ−ＲＳを受信することと
を含む。
【００１７】
リソース確定モジュールと受信モジュールを含むダウンリンクチャネル状態情報参照信号の受信装置において、
前記リソース確定モジュールはネットワーク側からの制御信号、セル固有参照信号ＣＲＳ及び復調パイロット信号ＤＭ−ＲＳの送信で使用されたＯＦＤＭシンボル以外の他のＯＦＤＭシンボルを確定し、
前記受信モジュールは確定された前記他のＯＦＤＭシンボルにおいてダウンリンクチャネル状態情報参照信号ＣＳＩ−ＲＳを受信する。
【発明の効果】
【００１８】
上述技術案から見出されたように、本発明は制御信号、ＤＭ−ＲＳ信号とＣＲＳ信号の電力が皆ＣＳＩ−ＲＳ信号より遥かに大きいことを考慮して、制御信号を送信するＯＦＤＭシンボル、ＣＲＳ信号を送信するＯＦＤＭシンボル、及びＤＭ−ＲＳ信号を送信するＯＦＤＭシンボル以外の他のＯＦＤＭシンボルにおいてＣＳＩ−ＲＳ信号を送信させるようにして、制御信号、ＤＭ−ＲＳ信号とＣＲＳ信号からＣＳＩ−ＲＳ信号への干渉を回避できる。
【図面の簡単な説明】
【００１９】
【図１】従来技術において一般ＣＰを使用する物理リソースブロックでＲＳ信号を送信するイメージを示す図である。
【図２】従来技術において拡張ＣＰを使用する物理リソースブロックでＲＳ信号を送信するイメージを示す図である。
【図３】本発明の実施形態によるＣＳＩ−ＲＳポートが２個の場合の一般ＣＰを使用するリソースブロック内のＣＳＩ−ＲＳ  Ｐａｔｔｅｒｎである。
【図４】本発明の実施形態によるＣＳＩ−ＲＳポートが２個の場合の拡張ＣＰを使用するリソースブロック内のＣＳＩ−ＲＳ  Ｐａｔｔｅｒｎである。
【図５】本発明の実施形態によるＣＳＩ−ＲＳポートが４個で、且つネットワーク側でＣＲＳ信号用のポート２とポート３が配置されていない場合の一般ＣＰを使用するリソースブロック内のＣＳＩ−ＲＳ  Ｐａｔｔｅｒｎである。
【図６】本発明の実施形態によるＣＳＩ−ＲＳポートが４個で、且つネットワーク側でＣＲＳ信号用のポート２とポート３が配置されていない場合の拡張ＣＰを使用するリソースブロック内のＣＳＩ−ＲＳ  Ｐａｔｔｅｒｎである。
【図７】本発明の実施形態によるＣＳＩ−ＲＳポートが８個で、且つネットワーク側でＣＲＳ信号用のポート２とポート３が配置されていない場合の一般ＣＰを使用するリソースブロック内のＣＳＩ−ＲＳ  Ｐａｔｔｅｒｎである。
【図８】本発明の実施形態によるＣＳＩ−ＲＳポートが８個で、且つネットワーク側でＣＲＳ信号用のポート２とポート３が配置されていない場合の拡張ＣＰを使用するリソースブロック内のＣＳＩ−ＲＳ  Ｐａｔｔｅｒｎである。
【図９】本発明の実施形態によるＣＳＩ−ＲＳポートが８個の場合のＣＳＩ−ＲＳ  Ｐａｔｔｅｒｎに対する周波数偏移のイメージを示す図である。
【図１０】本発明の実施形態によるＣＳＩ−ＲＳポートグループが任意の周波数領域の隣接する２ＰＲＢ内で交代して第８と第１０のＯＦＤＭシンボルにおいてＣＳＩ−ＲＳ信号を送信するイメージを示す図である。
【図１１】本発明の実施形態によるダウンリンクチャネル状態情報参照信号の送信装置の構造イメージを示す図である。
【図１２】本発明の実施形態によるダウンリンクチャネル状態情報参照信号の受信装置の構造イメージを示す図である。
【発明を実施するための形態】
【００２０】
本発明の実施形態において、ネットワーク側は制御信号を送信するＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、又、確定された他のＯＦＤＭシンボルにおいてダウンリンクチャネル状態情報参照信号ＣＳＩ−ＲＳを送信する。制御信号、ＤＭ−ＲＳ信号及びＣＲＳ信号の電力は全てＣＳＩ−ＲＳ信号より大幅に大きいため、制御信号を送信するＯＦＤＭシンボル、ＣＲＳ信号を送信するＯＦＤＭシンボル、及びＤＭ−ＲＳ信号を送信するＯＦＤＭシンボル以外の他のＯＦＤＭシンボルでＣＳＩ−ＲＳ信号を送信することは、制御信号、ＤＭ−ＲＳ信号とＣＲＳ信号からＣＳＩ−ＲＳ信号への干渉を回避できる。そのうちのＤＭ−ＲＳ信号はＬＴＥ  Ｒｅｌ−９と後続バージョンにおけるＵＥ専用参照信号（ｓｐｅｃｉｆｉｃ  ＲＳ）である。
【００２１】
好ましくは、本発明の実施形態は又、確定された他のＯＦＤＭシンボルにおいて、ＤＲＳの送信で使用されたＲＥ以外の他のＲＥを使用してＣＳＩ−ＲＳを送信でき、そのうち、１ＯＦＤＭシンボル内の１サブキャリアは１ＲＥであり、当該ＤＲＳはリリース８のユーザー専用参照信号（Ｒ８  ＤＲＳ）を含む。即ち、ＤＲＳ信号を送信するＯＦＤＭシンボル内で当該ＤＲＳ信号の送信で使用されたサブキャリア以外の他のサブキャリアを使用してＣＳＩ−ＲＳ信号を送信できる。理由は、ＤＲＳ信号の放射電力はＣＳＩ−ＲＳ信号の放射電力と大体同じであるため、ＣＳＩ−ＲＳ信号とＤＲＳ信号を同一のＯＦＤＭシンボルにより送信しても、当該ＯＦＤＭシンボル内の異なるサブキャリアを使用してその２つの信号を送信さえすれば、ＤＲＳ信号はＣＳＩ−ＲＳ信号の正しい受信に影響を与えられないのである。
【００２２】
通常、ネットワーク側では複数のＣＳＩ−ＲＳ信号の送信ポートが配置されている。予めＣＳＩ−ＲＳ信号の送信ポートを幾つかのグループに分割し、通常、２つのＣＳＩ−ＲＳ信号の送信ポートを１つのＣＳＩ−ＲＳポートグループに分割する。ネットワーク側は分割されたＣＳＩ−ＲＳポートグループにより、確定された他のＯＦＤＭシンボルにおいてＣＳＩ−ＲＳを送信する。そのうち、異なるＣＳＩ−ＲＳポートグループは周波数分割多重又は時分割多重の方式でＣＳＩ−ＲＳ信号を送信でき、対応して、同一のＣＳＩ−ＲＳポートグループは時間領域又は周波数領域において符号分割多重（ＣＤＭ，Ｃｏｄｅ  Ｄｉｖｉｓｉｏｎ  Ｍｕｌｔｉｐｌｅｘｉｎｇ）の方式により異なるポートから送信されるＣＳＩ−ＲＳ信号を区別できる。
【００２３】
具体的に、異なるＣＳＩ−ＲＳポートグループは異なるサブキャリアを使用してＣＳＩ−ＲＳ信号を送信し、又、時間領域にＣＤＭを行うことにより、同一ＣＳＩ−ＲＳポートグループ内の異なるＣＳＩ−ＲＳポートから同じサブキャリアにおいて送信されるＣＳＩ−ＲＳ信号を区別し、又は、異なるＣＳＩ−ＲＳポートグループは異なるＯＦＤＭシンボルにおいてＣＳＩ−ＲＳ信号を送信し、又、周波数領域にＣＤＭを行うことにより、同一ＣＳＩ−ＲＳポートグループ内の異なるＣＳＩ−ＲＳポートから同じＯＦＤＭシンボルにおいて送信されるＣＳＩ−ＲＳ信号を区別する。
【００２４】
そのうち、異なるＣＳＩ−ＲＳポートグループが異なるＯＦＤＭシンボルにおいてＣＳＩ−ＲＳ信号を送信することは２つ場合を含み、それは、異なるＣＳＩ−ＲＳポートグループが異なるＯＦＤＭシンボル内の同じサブキャリアにおいてＣＳＩ−ＲＳ信号を送信する場合、及び異なるＣＳＩ−ＲＳポートグループが異なるＯＦＤＭシンボル内の異なるサブキャリアにおいてＣＳＩ−ＲＳ信号を送信する場合、である。
【００２５】
できるだけより大きい電力でＣＳＩ−ＲＳ信号を送信するため、時分割多重の方式で異なるＣＳＩ−ＲＳポートグループからのＣＳＩ−ＲＳ信号を区別する際、本発明において、任意のＣＳＩ−ＲＳポートグループは又、任意の隣接する２個の物理リソースブロック（ＰＲＢ）内で、それぞれ異なるＯＦＤＭシンボル（第一のＯＦＤＭシンボルと第二のＯＦＤＭシンボルと表記する）においてＣＳＩ−ＲＳ信号を送信できる。そうすると、各リソースブロックは第一のＯＦＤＭシンボルにおいてＣＳＩ−ＲＳ信号を送信する際、その隣接する物理リソースブロックは第二のＯＦＤＭシンボルにおいてＣＳＩ−ＲＳ信号を送信することとなる。これにより、隣接する物理リソースブロック内の第一のＯＦＤＭシンボルの放射電力を借りて使用することができるようになり、更に、全ての物理リソースブロックにも最大限の電力でＣＳＩ−ＲＳ信号を放射させることが可能となる。例えば、２つの隣接するＰＲＢを１グループに分けて、各ＣＳＩ−ＲＳポートグループは周波数領域のＣＤＭにより異なるＣＳＩ−ＲＳポートから送信されるＣＳＩ−ＲＳ信号を区別し、又、各ＣＳＩ−ＲＳポートグループは、それぞれ隣接する２ＰＲＢ内の異なるＯＦＤＭシンボルにおいてＣＳＩ−ＲＳ信号を送信する。例えば、２個のＣＳＩ−ＲＳポートグループは、それぞれ２ＰＲＢ内のＣＳＩ−ＲＳ信号を送信するＯＦＤＭシンボルの位置を交代してＣＳＩ−ＲＳ信号を送信できる（詳細は以下の図１０に関する記述を参照する）。
【００２６】
又、隣接セルのＣＳＩ−ＲＳ信号間の干渉を低減するため、隣接セルはできるだけ同じＯＦＤＭシンボル内の同じサブキャリアを使用してＣＳＩ−ＲＳ信号を送信することを回避すべきで、即ち、同じＯＦＤＭシンボルにおいて、隣接セルはできるだけ異なるサブキャリアを使用してＣＳＩ−ＲＳ信号を送信すべきである。そのため、ネットワーキングしやすいため、ＣＳＩ−ＲＳ信号の送信パターン（ＣＳＩ−ＲＳ  Ｐａｔｔｅｒｎ）の多重化因子をできるだけ大きくする必要があり、通常は３より大きくさせる。
【００２７】
具体的に、確定された当該他のＯＦＤＭシンボル内の同じＯＦＤＭシンボルにおいて、複数の隣接セルを予約して直交サブキャリアを使用してＣＳＩ−ＲＳ信号を送信し、即ち、隣接セルで使用されるＣＳＩ−ＲＳのリソースに対して周波数分割の多重方式を使用する。又は複数の隣接セルを予約して当該他のＯＦＤＭシンボル内の異なるＯＦＤＭシンボルを使用してＣＳＩ−ＲＳ信号を送信し、即ち、隣接セルで使用されるＣＳＩ−ＲＳのリソースに対して時分割多重の方式を使用する。又は複数の隣接セルを予約して当該他のＯＦＤＭシンボル内の異なるＯＦＤＭシンボルと直交サブキャリアを混合して使用してＣＳＩ−ＲＳ信号を送信し、即ち、隣接セルで使用されるＣＳＩ−ＲＳのリソースに対して周波数分割多重と時分割多重の混合方式を使用する。
【００２８】
上述ＣＳＩ−ＲＳ信号の送信方法により、以下は一般ＣＰと拡張ＣＰを使用するリソースブロックにおいてＣＳＩ−ＲＳ信号を送信する具体的な方法、及び対応するＣＳＩ−ＲＳ  Ｐａｔｔｅｒｎを記述する。
【００２９】
図１に示したように、一般ＣＰを使用するリソースブロックは１４のＯＦＤＭシンボルより構成され、それぞれは０から１３まで番号が付いているＯＦＤＭシンボルである。一般ＣＰを使用するリソースブロックは周波数領域において１２サブキャリアを有する。
【００３０】
一般ＣＰを使用するリソースブロックの第１０のＯＦＤＭシンボルは制御信号、ＣＲＳ信号、ＤＭ−ＲＳ信号とＤＲＳ信号に使用されていないため、第１０のＯＦＤＭシンボル内の任意のサブキャリアもＣＳＩ−ＲＳ信号の送信に使用できる。
【００３１】
一般ＣＰを使用するリソースブロックの第３と第９のＯＦＤＭシンボル内の任意のサブキャリアも制御信号、ＣＲＳ信号とＤＭ−ＲＳ信号に使用されていなく、且つ当該第３と第９のＯＦＤＭシンボルにおいて、ＤＲＳ信号に使用されたサブキャリアは一部だけであり、当該第３と第９のＯＦＤＭシンボル内のＤＲＳ信号に使用されていないサブキャリアもＣＳＩ−ＲＳ信号の送信に使用できる。
【００３２】
図１を参照する。一般ＣＰを使用するリソースブロックにおいてＣＲＳ信号用のポート０とポート１のみが配置され、ＣＲＳ信号用のポート２とポート３が配置されていない場合、第８のＯＦＤＭシンボルでポート２とポート３のＣＲＳ信号を送信する必要がなく、その場合、当該第８のＯＦＤＭシンボル内の任意周波数のサブキャリアはＣＳＩ−ＲＳ信号の送信に使用できる。
【００３３】
図２に示したように、拡張ＣＰを使用するリソースブロックは１２のＯＦＤＭシンボルより構成され、それぞれは０から１１まで番号の付いているＯＦＤＭシンボルである。拡張ＣＰを使用するリソースブロックは周波数領域において１２サブキャリアを有する。
【００３４】
拡張ＣＰを使用するリソースブロック内の第８のＯＦＤＭシンボルは制御信号、ＣＲＳ信号、ＤＭ−ＲＳ信号、及びＤＲＳ信号に使用されていないため、第８のＯＦＤＭシンボル内の任意のサブキャリアもＣＳＩ−ＲＳ信号の送信に使用できる。
【００３５】
図２を参照する。拡張ＣＰを使用するリソースブロックにおいて、ＣＲＳ信号用のポート０とポート１のみが配置され、ＣＲＳ信号用のポート２とポート３が配置されていない場合、第７のＯＦＤＭシンボルでポート２とポート３のＣＲＳ信号を送信する必要がなく、又、第７のＯＦＤＭシンボルにおいて、ＤＲＳ信号に使用されたサブキャリアは一部だけであるため、第７のＯＦＤＭシンボル内のＤＲＳ信号に使用されていないサブキャリアもＣＳＩ−ＲＳ信号の送信に使用できる。
【００３６】
以下は、それぞれ２個、４個、８個のＣＳＩ−ＲＳポートが配置された場合のＣＳＩ−ＲＳ  Ｐａｔｔｅｒｎを提供する。図３から図８までにおけるＣＤＭは長さが２である直交カバーコード（ｃｏｖｅｒ  ｃｏｄｅ) で２ポートの直交多重化を実現することを指す。
【００３７】
実施形態一：ＣＳＩ−ＲＳポートが２個の場合のＣＳＩ−ＲＳ  Ｐａｔｔｅｒｎは図３と図４を参照してください。
【００３８】
ネットワーク側が２個のＣＳＩ−ＲＳポートでＣＳＩ−ＲＳ信号を送信する場合、その２個のＣＳＩ−ＲＳポートを１つのＣＳＩ−ＲＳポートグループに分割する。
【００３９】
図３は本発明の実施形態によるＣＳＩ−ＲＳポートが２個の場合の一般ＣＰを使用するリソースブロック内のＣＳＩ−ＲＳ  Ｐａｔｔｅｒｎである。
【００４０】
図３に示したように、ネットワーク側でＣＲＳ信号用のポート２とポート３が配置されていない場合、一般ＣＰを使用するＰＲＢ内で、ネットワーク側は第８と第１０のＯＦＤＭシンボル内の同じサブキャリア、又は第８のシンボル内の隣接する２サブキャリア、又は第１０のシンボル内の隣接する２サブキャリア、又は第９と第１０のＯＦＤＭシンボル内の同じサブキャリア（当該同じサブキャリアはＲ８  ＤＲＳ信号に使用されたサブキャリア以外のサブキャリアを指す）、又は第８と第９のＯＦＤＭシンボル内の同じサブキャリア（当該同じサブキャリアはＲ８  ＤＲＳ信号に使用されたサブキャリア以外のサブキャリアを指す）において、ＣＳＩ−ＲＳ信号を送信する。
【００４１】
例えば、図３の３−Ａにおいて、ＣＳＩ−ＲＳポートグループは第８と第１０のＯＦＤＭシンボル内の同じサブキャリアにおいてＣＳＩ−ＲＳ信号を送信し、図３の３−Ｂにおいて、ＣＳＩ−ＲＳポートグループは第８のシンボル内の隣接する２サブキャリアにおいてＣＳＩ−ＲＳ信号を送信する。図３−Ｂに表示されていないが、ＣＳＩ−ＲＳポートグループは同様に第１０のシンボル内の隣接する２サブキャリアにおいてＣＳＩ−ＲＳ信号を送信でき、図３の３−Ｃにおいて、ＣＳＩ−ＲＳポートグループは第９と第１０のＯＦＤＭシンボル内の同じサブキャリアにおいてＣＳＩ−ＲＳ信号を送信し、図３の３−Ｄにおいて、ＣＳＩ−ＲＳポートグループは第８と第９のＯＦＤＭシンボル内の同じサブキャリアにおいてＣＳＩ−ＲＳ信号を送信する。
【００４２】
図４は本発明の実施形態によるＣＳＩ−ＲＳポートが２個の場合の拡張ＣＰを使用するリソースブロック内のＣＳＩ−ＲＳ  Ｐａｔｔｅｒｎである。
【００４３】
図４に示したように、ネットワーク側でＣＲＳ信号用のポート２とポート３が配置されていない場合、拡張ＣＰを使用するＰＲＢ内で、ネットワーク側は第７と第８のＯＦＤＭシンボル内の同じサブキャリア（当該同じサブキャリアはＲ８  ＤＲＳ信号に使用されたサブキャリア以外のサブキャリアを指す）、又は第７のＯＦＤＭシンボル内の隣接する２サブキャリア（当該サブキャリアはＲ８  ＤＲＳ信号に使用されたサブキャリア以外のサブキャリアを指す）、又は第８のＯＦＤＭシンボル内の隣接する２サブキャリアにおいてＣＳＩ−ＲＳ信号を送信する。
【００４４】
例えば、図４の４−Ａにおいて、ＣＳＩ−ＲＳポートグループは第７と第８のＯＦＤＭシンボル内の同じサブキャリアにおいてＣＳＩ−ＲＳ信号を送信し、図４の４−Ｂにおいて、ＣＳＩ−ＲＳポートグループは第７のＯＦＤＭシンボル内の隣接する２サブキャリアにおいてＣＳＩ−ＲＳ信号を送信し、図４−Ｂに表示されていないが、ＣＳＩ−ＲＳポートグループは同様に第８のＯＦＤＭシンボル内の隣接する２サブキャリアにおいてＣＳＩ−ＲＳ信号を送信できる。
【００４５】
実施形態二：ＣＳＩ−ＲＳポートが４個の場合ののＣＳＩ−ＲＳ  Ｐａｔｔｅｒｎは図５と図６を参照する。
【００４６】
ネットワーク側が４個のＣＳＩ−ＲＳポートでＣＳＩ−ＲＳ信号を送信する場合、当該４個のＣＳＩ−ＲＳポートを２個のＣＳＩ−ＲＳポートグループに分割し、ＣＳＩ−ＲＳポートグループ毎は２個のＣＳＩ−ＲＳポートを含む。
【００４７】
図５は本発明の実施形態によるＣＳＩ−ＲＳポートが４個で、且つネットワーク側でＣＲＳ信号用のポート２とポート３が配置されていない場合の一般ＣＰを使用するリソースブロック内のＣＳＩ−ＲＳ  Ｐａｔｔｅｒｎである。
【００４８】
一般ＣＰを使用するＰＲＢ内で、各ＣＳＩ−ＲＳポートグループは第８と第１０のＯＦＤＭシンボル内の同じサブキャリアを使用して時間領域ＣＤＭの多重方式でＣＳＩ−ＲＳ信号を送信し、且つそれぞれ異なるサブキャリアを使用する。
【００４９】
例えば、図５の５−Ａにおいて、各ＣＳＩ−ＲＳポートグループ（それぞれはＣＳＩ−ＲＳポート０と１に対してＣＤＭを、ＣＳＩ−ＲＳポート２と３に対するＣＤＭを行う）は第８と第１０のＯＦＤＭシンボル内の同じサブキャリアを使用してＣＳＩ−ＲＳ信号を送信し、又、２個のＣＳＩ−ＲＳポートグループは、それぞれ隣接するサブキャリアを使用する。図５の５−Ｂにおいて、各ＣＳＩ−ＲＳポートグループは第８と第１０のＯＦＤＭシンボル内の同じサブキャリアを使用してＣＳＩ−ＲＳ信号を送信し、又、２個のＣＳＩ−ＲＳポートグループは、それぞれ５サブキャリアの間隔を有するサブキャリアを使用する。
【００５０】
又は、前記一般ＣＰを使用するＰＲＢ内で、各ＣＳＩ−ＲＳポートグループは、それぞれ第８と第１０のＯＦＤＭシンボル内の隣接する２サブキャリアを使用してＣＳＩ−ＲＳ信号を送信し、且つ２個のＣＳＩ−ＲＳポートグループは同じ又は同じでないサブキャリアを使用する。
【００５１】
例えば、図５の５−Ｃにおいて、２個のＣＳＩ−ＲＳポートグループは、それぞれ第８と第１０のＯＦＤＭシンボル内の隣接する２サブキャリアを使用してＣＳＩ−ＲＳ信号を送信し、且つ２個のＣＳＩ−ＲＳポートグループは同じサブキャリアを使用する。図５の５−Ｄにおいて、２個のＣＳＩ−ＲＳポートグループは、それぞれ第８と第１０のＯＦＤＭシンボル内の隣接する２サブキャリアを使用してＣＳＩ−ＲＳ信号を送信し、且つ２個のＣＳＩ−ＲＳポートグループは４サブキャリアの間隔を有するサブキャリアを使用する。
【００５２】
又は、前記一般ＣＰを使用するＰＲＢ内で、各ＣＳＩ−ＲＳポートグループは隣接する２サブキャリアを使用してＣＳＩ−ＲＳ信号を送信し、且つ２個のＣＳＩ−ＲＳポートグループは全て第８又は第１０のＯＦＤＭシンボルにおいてＣＳＩ−ＲＳ信号を送信し、且つ２個のＣＳＩ−ＲＳポートグループは、それぞれ隣接又は若干のサブキャリア間隔を有するサブキャリアを使用する。
【００５３】
例えば、図５の５−Ｅにおいて、各ＣＳＩ−ＲＳポートグループは隣接する２サブキャリアを使用してＣＳＩ−ＲＳ信号を送信し、且つ２個のＣＳＩ−ＲＳポートグループは全て第８のＯＦＤＭシンボルにおいてＣＳＩ−ＲＳ信号を送信し、且つ２個のＣＳＩ−ＲＳポートグループは隣接するサブキャリアを使用する。図５の５−Ｆにおいて、各ＣＳＩ−ＲＳポートグループは隣接する２サブキャリアを使用してＣＳＩ−ＲＳ信号を送信し、且つ２個のＣＳＩ−ＲＳポートグループは全て第８のＯＦＤＭシンボルにおいてＣＳＩ−ＲＳ信号を送信し、且つ２個のＣＳＩ−ＲＳポートグループは４サブキャリアの間隔を有するサブキャリアを使用する。５−Ｅと５−Ｆに表示されていないが、２個のＣＳＩ−ＲＳポートグループは同様に全て第１０のＯＦＤＭシンボルにおいてＣＳＩ−ＲＳ信号を送信でき、且つ図５−Ｅと５−Ｆと同じようなサブキャリア周波数を使用し、説明は省略する。
【００５４】
又は、前記一般ＣＰを使用するＰＲＢ内で、各ＣＳＩ−ＲＳポートグループは第９と第１０のＯＦＤＭシンボル内のＲ８  ＤＲＳ信号に使用されたサブキャリア以外の同じサブキャリアを使用して時間領域ＣＤＭの方式でＣＳＩ−ＲＳ信号を送信し、且つ２個のＣＳＩ−ＲＳポートグループは、それぞれ異なるサブキャリアを使用し、例えば、図５−Ｇに示したＣＳＩ−ＲＳ  Ｐａｔｔｅｒｎを参照する。
【００５５】
図６は本発明の実施形態によるＣＳＩ−ＲＳポートが４個で、且つネットワーク側でＣＲＳ信号用のポート２とポート３が配置されていない場合の拡張ＣＰを使用するリソースブロック内のＣＳＩ−ＲＳ  Ｐａｔｔｅｒｎである。
【００５６】
拡張ＣＰを使用するＰＲＢにおいて、各ＣＳＩ−ＲＳポートグループは第７と第８のＯＦＤＭシンボル内の同じサブキャリアを使用してＣＳＩ−ＲＳ信号を送信し、且つ２個のＣＳＩ−ＲＳポートグループは隣接又は若干のキャリア間隔を有する２サブキャリアを使用する。例えば、図６の６−Ａと６−Ｃに示したＣＳＩ−ＲＳ  Ｐａｔｔｅｒｎのようである。
【００５７】
又は、前記拡張ＣＰを使用するＰＲＢにおいて、各ＣＳＩ−ＲＳポートグループは隣接する２サブキャリアを使用してＣＳＩ−ＲＳ信号を送信し、且つ２個のＣＳＩ−ＲＳポートグループは全て第７又は第８のＯＦＤＭシンボルにおいてＣＳＩ−ＲＳ信号を送信し、例えば、図６の６−Ｂと６−Ｄに示したＣＳＩ−ＲＳ  Ｐａｔｔｅｒｎを参照する。又は、２個のＣＳＩ−ＲＳポートグループは、それぞれ第７と第８のＯＦＤＭシンボルにおいてＣＳＩ−ＲＳ信号を送信する。
【００５８】
実施形態三：ＣＳＩ−ＲＳポートが８個の場合のＣＳＩ−ＲＳ  Ｐａｔｔｅｒｎは図７と図８を参照してください。
【００５９】
ネットワーク側が８個のＣＳＩ−ＲＳポートを使用してＣＳＩ−ＲＳ信号を送信する場合、当該８個のＣＳＩ−ＲＳポートを４個のＣＳＩ−ＲＳポートグループに分割し、ＣＳＩ−ＲＳポートグループ毎は２個のＣＳＩ−ＲＳポートを含む。
【００６０】
図７は本発明の実施形態によるＣＳＩ−ＲＳポートが８個で、且つネットワーク側でＣＲＳ信号用のポート２とポート３が配置されていない場合の一般ＣＰを使用するリソースブロック内のＣＳＩ−ＲＳ  Ｐａｔｔｅｒｎである。
【００６１】
前記一般ＣＰを使用するＰＲＢ内で、各ＣＳＩ−ＲＳポートグループは第８と第１０のＯＦＤＭシンボル内の同じサブキャリアを使用してＣＳＩ−ＲＳ信号を送信し、且つ各ＣＳＩ−ＲＳポートグループは異なるサブキャリアを使用する。例えば、４個のＣＳＩ−ＲＳポートグループはそれぞれ隣接するサブキャリアを使用し、又は各ＣＳＩ−ＲＳポートグループは最低２サブキャリアの間隔を有する任意のサブキャリアを使用する。例えば、図７の７−Ａと７−Ｂに示したＣＳＩ−ＲＳ  Ｐａｔｔｅｒｎである。
【００６２】
又は、前記一般ＣＰを使用するＰＲＢ内で、各ＣＳＩ−ＲＳポートグループは、それぞれ第８のＯＦＤＭシンボル内の隣接する２サブキャリアと又は第１０のＯＦＤＭシンボル内の隣接する２サブキャリアを使用してＣＳＩ−ＲＳ信号を送信し、且つ４個のＣＳＩ−ＲＳポートグループは同じ又は同じでないサブキャリアを使用する。例えば、２個のＣＳＩ−ＲＳポートグループは隣接、又は４又は２又は１サブキャリアの間隔を有するサブキャリアをを使用する。例えば、図７の７−Ｃと７−Ｈに示したＣＳＩ−ＲＳ  Ｐａｔｔｅｒｎである。
【００６３】
そのうち、前記一般ＣＰを使用するＰＲＢ内で、各ＣＳＩ−ＲＳポートグループはそれぞれ第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のキャリア間隔を有するサブキャリアを使用する。
【００６４】
又は、前記一般ＣＰを使用するＰＲＢ内で、各ＣＳＩ−ＲＳポートグループは隣接する２サブキャリアを使用してＣＳＩ−ＲＳ信号を送信し、且つ４個のＣＳＩ−ＲＳポートグループは全て第８又は第１０のＯＦＤＭシンボルにおいて送信し、且つ４個のＣＳＩ−ＲＳポートグループは隣接又は一定のサブキャリア間隔を有するサブキャリアを使用する。
【００６５】
又は、前記一般ＣＰを使用するＰＲＢ内で、各ＣＳＩ−ＲＳポートグループは第９と第１０のＯＦＤＭシンボル内のＲ８  ＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループはそれぞれ異なるサブキャリアを使用する。
【００６６】
又は、前記一般ＣＰを使用するＰＲＢ内で、各ＣＳＩ−ＲＳポートグループは第１０と第１１のＯＦＤＭシンボル内の、Ｒ８  ＤＲＳ信号に使用されたサブキャリア以外の他の同じサブキャリアを使用して時間領域ＣＤＭの方式でＣＳＩ−ＲＳ信号を送信し、且つ４個のＣＳＩ一ＲＳポートグループは、それぞれ異なるサブキャリアを使用する。
【００６７】
図８は本発明の実施形態によるＣＳＩ−ＲＳポートが８個で、且つネットワーク側でＣＲＳ信号用のポート２とポート３が配置されていない場合の拡張ＣＰを使用するＰＲＢのＣＳＩ−ＲＳ  Ｐａｔｔｅｒｎである。
【００６８】
前記拡張ＣＰを使用するＰＲＢにおいて、各ＣＳＩ−ＲＳポートグループは第７と第８のＯＦＤＭシンボル内のＲ８  ＤＲＳ信号に使用されたサブキャリア以外の同じサブキャリアを使用して時間領域ＣＤＭの方式でＣＳＩ−ＲＳ信号を送信し、且つ２個のＣＳＩ−ＲＳポートグループは異なるサブキャリアを使用する。例えば、隣接する２サブキャリア、或いは１又は２又は４サブキャリアの間隔を有する２サブキャリアを使用する。例えば、図８の８−Ａ、８−Ｃ、及び８−Ｄに示したＣＳＩ−ＲＳ  Ｐａｔｔｅｒｎを参照する。
【００６９】
又は、前記拡張ＣＰを使用するＰＲＢにおいて、各ＣＳＩ−ＲＳポートグループは第７又は第８のＯＦＤＭシンボル内の隣接する２サブキャリアを使用して周波数領域ＣＤＭの方式でＣＳＩ−ＲＳ信号を送信し、例えば、図８の８−Ｂに示したＣＳＩ−ＲＳ  Ｐａｔｔｅｒｎを参照する。そのうち、４個のＣＳＩ−ＲＳポートグループは全て第７のＯＦＤＭシンボル内のＲ８  ＤＲＳ信号に使用されたサブキャリア以外のサブキャリアにおいてＣＳＩ−ＲＳ信号を送信でき、又は全て第８のＯＦＤＭシンボル内のサブキャリアにおいてＣＳＩ−ＲＳ信号を送信でき、又は４個のＣＳＩ−ＲＳポートグループは、それぞれ第７のＯＦＤＭシンボル内のＲ８  ＤＲＳ信号に使用されたサブキャリア以外のサブキャリアと第８のＯＦＤＭシンボル内のサブキャリアにおいてＣＳＩ−ＲＳ信号を送信できる。
【００７０】
上記図５から図８までにおいて、各ＣＳＩ−ＲＳポートグループのポート番号を交換できる。例えば、図８の８−Ｃに示したＰＲＢにおいて、周波数の低い順から順位を付けた後、第２のサブキャリアを使用するＣＳＩ−ＲＳポートグループのＣＳＩ−ＲＳポート６と７のＣＤＭは第５のサブキャリアを使用するＣＳＩ−ＲＳポート４と５のＣＤＭと交換でき、即ち、ＣＳＩ−ＲＳポート６と７のＣＤＭに第５のサブキャリアを、ＣＳＩ−ＲＳポート４と５のＣＤＭに第２のサブキャリアを使用させることができる。
【００７１】
又、図３−図８に示したＣＳＩ−ＲＳ  Ｐａｔｔｅｒｎに対して周波数偏移を行ってから取得されるＣＳＩ−ＲＳ  Ｐａｔｔｅｒｎも本発明の保護範囲内に考えられる。ＣＳＩ−ＲＳ  Ｐａｔｔｅｒｎに対して周波数偏移を行い、例えば、セルＩＤなどのシステム情報によりＣＳＩ−ＲＳ  Ｐａｔｔｅｒｎに対して周波数偏移を行い、複数の隣接セルのＣＳＩ−ＲＳ  Ｐａｔｔｅｒｎの相互直交を実現でき、隣接セルが同じ時間周波数リソースにおいてＣＳＩ−ＲＳ信号を送信することによる衝突を回避できる。例えば、８アンテナシステムに対して、ＣＳＩ−ＲＳ信号用の周波数リソースが完全に重複しないセルが３個ありえる。即ち、多重化因子が３である。４アンテナシステムに対してＣＳＩ−ＲＳ信号用の周波数リソースが完全に重複しないセルが６個ありえる。即ち、多重化因子が６である。２アンテナシステムに対してＣＳＩ−ＲＳ信号用の周波数リソースが完全に重複しないセルが６個ありえる。即ち、多重化因子が１２である。
【００７２】
図９は本発明の実施形態によるＣＳＩ−ＲＳポートが８個の場合のＣＳＩ−ＲＳ  Ｐａｔｔｅｒに対する周波数偏移のイメージを示す図である。
【００７３】
図９に示したように、周波数偏移を行った後、セル１、セル２とセル３のＣＳＩ−ＲＳ信号の送信用周波数リソースが完全に重複していなく、即ち、多重化因子が３である。
【００７４】
又、周波数領域ＣＤＭに基づく技術案、即ち、異なるＯＦＤＭシンボルにおいて異なるＣＳＩ−ＲＳポートグループのＣＳＩ−ＲＳ信号を送信する技術案に対して、任意の隣接する２ＰＲＢ内で、各ＣＳＩ−ＲＳポートグループは交代して第８と第１０のＯＦＤＭシンボルにおいてＣＳＩ−ＲＳ信号を送信できるため、ＣＳＩ−ＲＳポートグループにできるだけより大きい電力でＣＳＩ−ＲＳ信号を送信させることが可能となる。詳細は図１０を参照する。
【００７５】
図１０は本発明の実施形態によるＣＳＩ−ＲＳポートグループが任意の隣接する２ＰＲＢ内で交代して第８と第１０のＯＦＤＭシンボルにおいてＣＳＩ−ＲＳ信号を送信するイメージを示す図である。
【００７６】
図１０に示したように、ＰＲＢ１内ではＣＳＩ−ＲＳポート０と１のＣＤＭは第８のＯＦＤＭシンボルを使用し、ＣＳＩ−ＲＳポート２と３のＣＤＭは第１０のＯＦＤＭシンボルを使用する。対応して、ＰＲＢ２内ではＣＳＩ−ＲＳポート０と１のＣＤＭが第１０のＯＦＤＭシンボルを使用し、ＣＳＩ−ＲＳポート２と３のＣＤＭが第８のＯＦＤＭシンボルを使用するようになる。
【００７７】
上述ダウンリンクチャネル状態情報参照信号の送信方法に対応して、本発明は又、ＵＥがダウンリンクチャネル状態情報参照信号を受信する方法を提供する。
【００７８】
具体的に、ＵＥは制御信号を送信するＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボル、且つユーザー専用参照信号ＤＲＳ信号を送信するリソースエレメントＲＥ以外の他のＲＥにおいて、ネットワーク側から分割されたダウンリンクチャネル状態情報参照信号ＣＳＩ−ＲＳポートグループにより送信されたＣＳＩ−ＲＳを受信する。
【００７９】
そのうち、ＵＥは異なるサブキャリアにおいて異なるＣＳＩ−ＲＳポートグループから送信されたＣＳＩ−ＲＳ信号を受信でき、又、時間領域に符号分割多重ＣＤＭを行うことにより、同一ＣＳＩ−ＲＳポートグループ内の異なるＣＳＩ−ＲＳポートから同じサブキャリアにおいて送信されたＣＳＩ−ＲＳ信号を区別でき、又は、ＵＥは異なるＯＦＤＭシンボルにおいて異なるＣＳＩ−ＲＳポートグループから送信されたＣＳＩ−ＲＳ信号を受信し、周波数領域にＣＤＭを行うことにより、同一ＣＳＩ−ＲＳポートグループ内の異なるＣＳＩ−ＲＳポートから同じＯＦＤＭシンボルにおいて送信されるＣＳＩ−ＲＳ信号を区別する。  
【００８０】
任意のＣＳＩ−ＲＳポートグループに対して、ＵＥは任意の周波数領域の隣接する２個の物理リソースブロックＰＲＢ内の異なるＯＦＤＭシンボルにおいて、当該ＣＳＩ−ＲＳポートからのＣＳＩ−ＲＳ信号を受信でき、又、同じＯＦＤＭシンボルにおいて当該ＣＳＩ−ＲＳポートからのＣＳＩ−ＲＳ信号を受信できる。
【００８１】
実際、上述本発明により提供される任意のダウンリンクチャネル状態情報参照信号の送信方法に対して、例えば、図３から図１０まで示した任意のＣＳＩ−ＲＳ  Ｐａｔｔｅｒｎに対して、ＵＥは全て対応するＲＥ、即ち、対応するＯＦＤＭシンボルとサブキャリアにおいてネットワーク側から送信されたＣＳＩ−ＲＳ信号を受信でき、ここで説明を省略する。
【００８２】
本発明は又、ダウンリンクチャネル状態情報参照信号の送信装置と受信装置を提供し、詳細は図１１と図１２を参照する。
【００８３】
図１１は本発明の実施形態によるダウンリンクチャネル状態情報参照信号の送信装置の構造イメージを示す図である。
【００８４】
図１１に示したように、当該送信装置はリソース確定モジュール１１０１と送信モジュール１１０２を含む。
【００８５】
リソース確定モジュール１１０１は制御信号を送信するＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、
送信モジュール１１０２は確定された前記他のＯＦＤＭシンボルにおいてダウンリンクチャネル状態情報参照信号ＣＳＩ−ＲＳを送信する。
【００８６】
前記送信モジュール１１０２は具体的に、確定された前記他のＯＦＤＭシンボルにおいてユーザー専用参照信号ＤＲＳの送信で使用されたリソースエレメントＲＥ以外の他のＲＥを使用してＣＳＩ−ＲＳを送信し、そのうち、１ＯＦＤＭシンボル内の１サブキャリアは１ＲＥである。
【００８７】
前記送信モジュール１１０２は具体的に、予め２個のＣＳＩ−ＲＳ送信ポートを１つＣＳＩ−ＲＳポートグループに分割し、分割されたＣＳＩ−ＲＳポートグループにより確定された前記他のＯＦＤＭシンボルにおいてＣＳＩ−ＲＳを送信し、そのうち、異なるＣＳＩ−ＲＳポートグループは異なるサブキャリアを使用してＣＳＩ−ＲＳ信号を送信し、又、時間領域に符号分割多重ＣＤＭを行うことにより、同一ＣＳＩ−ＲＳポートグループ内の異なるＣＳＩ−ＲＳポートから同じサブキャリアにおいて送信されるＣＳＩ−ＲＳ信号を区別し、又は、異なるＣＳＩ−ＲＳポートグループは異なるＯＦＤＭシンボルにおいてＣＳＩ−ＲＳ信号を送信し、周波数領域にＣＤＭを行うことにより、同一ＣＳＩ−ＲＳポートグループ内の異なるＣＳＩ−ＲＳポートから同じＯＦＤＭシンボルにおいて送信されるＣＳＩ−ＲＳ信号を区別する。
【００８８】
そのうち、送信モジュール１１０２が異なるＣＳＩ−ＲＳポートグループにより異なるＯＦＤＭシンボルにおいてＣＳＩ−ＲＳ信号を送信することは、異なるＣＳＩ−ＲＳポートグループのために、異なるＯＦＤＭシンボルと異なるサブキャリアにおいてＣＳＩ−ＲＳ信号を送信することを含む。
【００８９】
送信モジュール１１０２は又、任意のＣＳＩ−ＲＳポートグループに対して、任意の周波数領域の隣接する２個の物理リソースブロックＰＲＢ内の異なるＯＦＤＭシンボルにおいてＣＳＩ−ＲＳ信号を送信できる。
【００９０】
８個のダウンリンクチャネル状態情報参照信号ＣＳＩ−ＲＳポートでＣＳＩ−ＲＳ信号を送信する場合、図１１に示したダウンリンクチャネル状態情報参照信号の送信装置におけるリソース確定モジュール１１０１は、制御信号を送信する直交周波数分割多重ＯＦＤＭシンボル、セル固有参照信号ＣＲＳを送信するＯＦＤＭシンボル、及び復調パイロット信号ＤＭ−ＲＳを送信するＯＦＤＭシンボル以外の他のＯＦＤＭシンボルを確定し、
前記送信モジュール１１０２は、予め２個のＣＳＩ−ＲＳ信号送信ポートを１つのＣＳＩ−ＲＳポートグループに分割し、前記一般サイクリックプレフィックスＣＰを使用する物理リソースブロックＰＲＢ内で、各ＣＳＩ−ＲＳポートグループにより、確定された前記他のＯＦＤＭシンボルにおいてＣＳＩ−ＲＳ信号を送信し、そのうち、各ＣＳＩ−ＲＳポートグループはＰＲＢ毎の第８と第１０の直交周波数分割多重ＯＦＤＭシンボル内の同じサブキャリアを使用して時間領域符号分割多重ＣＤＭの方式でＣＳＩ−ＲＳ信号を送信し、且つ４個のＣＳＩ−ＲＳポートグループはそれぞれ異なるサブキャリアを使用し、又は、各ＣＳＩ−ＲＳポートグループはそれぞれＰＲＢ毎の第８のＯＦＤＭシンボル内の隣接する２サブキャリア、又は第１０のＯＦＤＭシンボル内の隣接する２サブキャリアを使用してＣＳＩ−ＲＳ信号を送信し、且つ、そのうち、異なるＯＦＤＭシンボルにおいて任意の２個のＣＳＩ−ＲＳポートグループは同じ又は同じでないサブキャリアを使用し、そのうち、同じＯＦＤＭシンボルにおいて任意の２個のＣＳＩ−ＲＳポートグループは隣接又は若干のサブキャリア間隔を有する２サブキャリアを使用し、又は、各ＣＳＩ−ＲＳポートグループは隣接する２サブキャリアを使用してＣＳＩ−ＲＳ信号を送信し、且つ４個のＣＳＩ−ＲＳポートグループは全てＰＲＢ毎の第８又は第１０のＯＦＤＭシンボルにおいてＣＳＩ−ＲＳ信号を送信し、且つ４個のＣＳＩ−ＲＳポートグループは隣接又は若干のサブキャリア間隔を有するサブキャリアを使用し、又は、各ＣＳＩ−ＲＳポートグループはＰＲＢ毎の第９と第１０のＯＦＤＭシンボル内のユーザー専用参照信号ＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用し、又は、各ＣＳＩ−ＲＳポートグループはＰＲＢ毎の第８と第９のＯＦＤＭシンボル内のＤＲＳ信号に使用されたサブキャリア以外の同じサブキャリアを使用して時間領域ＣＤＭの方式でＣＳＩ−ＲＳ信号を送信し、且つ４個のＣＳＩ−ＲＳポートグループは、それぞれ異なるサブキャリアを使用する。
【００９１】
図１２は本発明の実施形態によるダウンリンクチャネル状態情報参照信号の受信装置の構造イメージを示す図である。
【００９２】
図１２に示したように、当該受信装置はリソース確定モジュール１２０１と受信モジュール１２０２を含む。
【００９３】
前記リソース確定モジュール１２０１はネットワーク側からの制御信号、セル固有参照信号ＣＲＳ及び復調パイロット信号ＤＭ−ＲＳの送信で使用されたＯＦＤＭシンボル以外の他のＯＦＤＭシンボルを確定し、
前記受信モジュール１２０２は確定された前記他のＯＦＤＭシンボルにおいてダウンリンクチャネル状態情報参照信号ＣＳＩ−ＲＳを受信する。
【００９４】
上述技術案から見出されるように、本発明によれば、ＣＳＩ−ＲＳ信号は制御信号に使用されたＲＥ、ＣＲＳ信号に使用されたＲＥ、ＤＭ−ＲＳ信号に使用されたＲＥ及びＤＲＳ信号に使用されたＲＥを回避したため、ＣＳＩ−ＲＳ信号と制御信号、ＣＲＳ信号、ＤＲＳ信号及びＤＭ−ＲＳ信号の相互影響を回避でき、ＣＳＩ−ＲＳ信号によるシステムの他の機能への影響を回避できる。
【００９５】
又、ＣＳＩ−ＲＳ信号はＤＲＳ用のＲＥを使用しないため、システムの後方互換性を保障できる。
【００９６】
以上は本発明の好ましい実施形態のみを記述したが、本発明を制限するものではない。本発明の精神と原則を逸脱しない範囲内の修正や同等の代替や改善等は、全て本発明の保護範囲内となるべきである。
【００９７】
本領域の技術者が理解できるように、本発明の実施形態は方法、システム、又はコンピュータプログラム製品の提供に利用できる。そのため、本発明は完全なハードウェア実施形態、完全なソフトウェア実施形態、又はソフトウェアとハードウェアの両方を結合した実施形態の形式を採用できる。又、本発明は、コンピュータ使用可能なプログラムコードを含むコンピュータ使用可能な記憶媒体（ディスク記憶装置、ＣＤ-ＲＯＭ、光学記憶装置などを含むがそれとは限らない）において実施される、一つ又は複数のコンピュータプログラム製品の形式を採用できる。
【００９８】
以上は本発明の実施形態の方法、装置（システム）、及びコンピュータプログラム製品のフローと／又はブロック図により本発明を記述した。理解すべきことは、コンピュータプログラムの指令により、フロー図と／又はブロック図における各フローと／又はブロック、及びフロー図と／又はブロック図におけるフローと／又はブロックの結合を実現できる。これらのコンピュータプログラム指令を汎用コンピュータ、専用コンピュータ、組込み式処理装置、又は他のプログラミング可能なデータ処理装置のプロセッサに提供することにより、１つの装置を形成できる。当該装置はコンピュータ又は他のプログラミング可能なデータ処理装置のプロセッサにより指令を実行して、フロー図における一つ又は複数のフローと／又はブロック図における一つのブロック又は複数のブロックに指定される機能を実現できる。
【００９９】
それらのコンピュータプログラム指令は又、コンピュータ又は他のプログラミング可能なデータ処理装置を特定方式で動作させるコンピュータ読取記憶装置に記憶できる。これにより、指令を含む装置は当該コンピュータ読取記憶装置内の指令を実行でき、又、フロー図における一つまたは複数のフローと／又はブロック図における一つ又は複数のブロックにおいて指定される機能を実現できる。
【０１００】
それらのコンピュータプログラム指令は又、コンピュータや他のプログラミング可能なデータ処理装置などに実装できる。コンピュータプログラム指令を含むコンピュータ又は他のプログラミング可能な装置は一連の操作ステップを実行することにより、関連の処理を実現でき、コンピュータ又は他のプログラミング可能な装置において実行される指令により、フロー図における一つ又は複数のフローと／又はブロック図における一つ又は複数のブロックにおいて指定される機能を実現できる。
【０１０１】
本発明の好ましい実施形態について記述したが、当業者は、本発明の基本的な技術思想を把握した上、多種多様な変更と変形を行える。そのような全ての変形及と変更は本発明に記述された好ましい実施形態と共に、本発明の範囲内にあると解釈されるべきである。
【０１０２】
無論、当業者により、本発明の実施形態に対して多種多様な変更と変形を行える。本発明の精神と原則を逸脱しない範囲内の変更と変形はすべて本発明の保護範囲内となるべきである。 
【図１】
2013533670.tif 000003
【図２】
2013533670.tif 000004
【図３】
2013533670.tif 000005
【図４】
2013533670.tif 000006
【図５】
2013533670.tif 000007
【図６】
2013533670.tif 000008
【図７】
2013533670.tif 000009
【図８】
2013533670.tif 000010
【図９】
2013533670.tif 000011
【図１０】
2013533670.tif 000012
【図１１】
2013533670.tif 000013
【図１２】
2013533670.tif 000014
【国際調査報告】
2013533670.tif 000015
2013533670.tif 000016
2013533670.tif 000017
2013533670.tif 000018